(57)【要約】【課題】入力されたモードに対応するように、画像形成装置のモードが設定されて、使用者が受ける不快感を抑制できる画像形成システムを提供する。【解決手段】画像形成システム１は、画像形成装置４と、携帯端末２とを備える。携帯端末２は、通信ネットワークＮを介して画像形成装置４と通信可能である。画像形成装置４には、外部からモード情報が入力される。モード情報は、所定の形成速度で画像を形成する静音モードと、静音モードよりも速い形成速度で画像を形成する通常モードと、静音モード、及び通常モードで画像を形成する処理に割り込んで画像を形成する至急モードとのうち、いずれか１つのモードを示す。携帯端末２には、静音モードが設定可能である。画像形成装置４は、端末装置３から入力されたモード情報が至急モードを示し、携帯端末２から静音モードを示す設定情報を取得した場合に、至急モードで画像を形成する。【選択図】図１
2018169668.tif 000002
【特許請求の範囲】
【請求項１】
記録媒体に画像を形成する画像形成装置と、
通信ネットワークを介して前記画像形成装置と通信可能な携帯端末と
を備える、画像形成システムであって、
前記画像形成装置には、外部からモード情報が入力され、
前記モード情報は、所定の形成速度で前記画像を形成する静音モードと、前記静音モードよりも速い形成速度で前記画像を形成する通常モードと、前記静音モード、及び前記通常モードで前記画像を形成する処理に割り込んで前記画像を形成する至急モードとのうち、いずれか１つのモードを示し、
前記携帯端末には、前記静音モードが設定可能であり、
前記画像形成装置は、外部から入力された前記モード情報が前記至急モードを示し、前記携帯端末から前記静音モードを示す設定情報を取得した場合に、前記至急モードで前記画像を形成する、画像形成システム。
【請求項２】
前記至急モードの前記形成速度は、前記通常モードの前記形成速度以上である、請求項１に記載の画像形成システム。
【請求項３】
前記画像形成装置は、外部から入力された前記モード情報が前記静音モードを示す場合に、前記静音モードで前記画像を形成する、請求項１、又は請求項２に記載の画像形成システム。
【請求項４】
前記画像形成装置は、外部から入力された前記モード情報が前記通常モードを示し、前記携帯端末から前記静音モードを示す設定情報を取得した場合に、前記静音モードで前記画像を形成する、請求項１から請求項３のいずれか１項に記載の画像形成システム。
【発明の詳細な説明】
【技術分野】
【０００１】
本発明は、画像形成システムに関する。
【背景技術】
【０００２】
特許文献１に記載の画像形成装置は、プリンター機能と、電話機能とを有する。プリンター機能は、印刷速度を優先した通常モード、又は印刷速度を抑えた静音モードで実行される。特許文献１に記載の画像形成装置では、プリンター機能の実行中に電話機能の着信があった場合に、通常モードから静音モードに切り替えられる。しかし、特許文献１に記載の画像形成装置では、プリンター機能が通常モードで実行される場合に、画像形成装置の作動音が画像形成装置の周囲の人に不快感を与えるおそれがある。
【０００３】
周囲の人に与える不快感を抑制するために、例えば、周囲の人が携帯する携帯端末と、携帯端末と通信可能な画像形成装置とを備える画像形成システムが考えられる。画像形成システムでは、例えば、携帯端末に設定された静音モードに対応するように、画像形成装置のモードが設定される。この結果、画像形成装置の周囲の人が受ける不快感が抑制される。
【先行技術文献】
【特許文献】
【０００４】
【特許文献１】特開２００６−１０３０９５号公報
【発明の概要】
【発明が解決しようとする課題】
【０００５】
しかしながら、このような画像形成システムでは、画像形成装置のモードは、画像形成装置の使用者が入力したモードに対応しない。したがって、使用者が望むようなタイミングで画像形成装置が処理を終えない場合があり、使用者の利便性については改善の余地がある。
【０００６】
本発明は上記課題に鑑みてなされたものであり、その目的は、使用者が望むようなタイミングで画像形成装置が処理を終えることができ、使用者の利便性を向上することができる画像形成システムを提供することにある。
【課題を解決するための手段】
【０００７】
本発明に係る画像形成システムは、画像形成装置と、携帯端末とを備える。前記画像形成装置は、記録媒体に画像を形成する。前記携帯端末は、通信ネットワークを介して前記画像形成装置と通信可能である。前記画像形成装置には、外部からモード情報が入力される。前記モード情報は、所定の形成速度で前記画像を形成する静音モードと、前記静音モードよりも速い形成速度で前記画像を形成する通常モードと、前記静音モード、及び前記通常モードで前記画像を形成する処理に割り込んで前記画像を形成する至急モードとのうち、いずれか１つのモードを示す。前記携帯端末には、前記静音モードが設定可能である。前記画像形成装置は、外部から入力された前記モード情報が前記至急モードを示し、前記携帯端末から前記静音モードを示す設定情報を取得した場合に、前記至急モードで前記画像を形成する。
【発明の効果】
【０００８】
本発明の画像形成システムによれば、使用者が望むようなタイミングで画像形成装置が処理を終えることができ、使用者の利便性を向上することができる。
【図面の簡単な説明】
【０００９】
【図１】本発明の実施形態１に係る画像形成システムを示すブロック図である。
【図２】図１の画像形成装置の構成を示す図である。
【図３】図２の画像形成装置の構成を示すブロック図である。
【図４】本発明の実施形態２に係る制御部の画像形成制御を示すフローチャートである。
【発明を実施するための形態】
【００１０】
以下、図面を参照して本発明の実施形態を説明する。ただし、本発明は以下の実施形態に限定されない。なお、図中、同一、又は相当部分については、同一の参照符号を付して説明を繰り返さない。
【００１１】
（実施形態１）
図１を参照して、本発明の実施形態１に係る画像形成システム１について説明する。図１は、本発明の実施形態１に係る画像形成システム１を示すブロック図である。図１に示すように、画像形成システム１は、複数の携帯端末２と、複数の端末装置３と、画像形成装置４とを備える。
【００１２】
画像形成装置４は、複合機である。複合機は、例えば、コピー機能、プリンター機能、及びファクシミリ機能のうち少なくとも２つの機能を有する。画像形成装置４は、モード情報に対応する形成速度で用紙Ｓに画像を形成する。モード情報は、静音モードと、通常モードと、至急モードとのうち、いずれか１つを示す。
【００１３】
画像形成装置４は、静音モードにおいて、所定の形成速度で用紙Ｓに画像を形成する。画像形成装置４は、通常モードにおいて、静音モードよりも速い形成速度で用紙Ｓに画像を形成する。画像形成装置４は、至急モードにおいて、静音モード、又は通常モードで実行中の処理に割り込んで、用紙Ｓに画像を形成する。
【００１４】
画像形成装置４は、制御部４１と、通信部４５とを備える。通信部４５は、通信ネットワークＮを介して携帯端末２と通信可能である。また、通信部４５は、通信ネットワークＮを介して端末装置３と通信可能である。制御部４１は、通信ネットワークＮを介して、携帯端末２、及び端末装置３と通信するように、通信部４５を制御する。
【００１５】
通信ネットワークＮは、例えば、インターネット、又は光通信のような専用回線である。光通信において、携帯端末２と画像形成装置４とは、光を用いて通信を行う。光通信は、例えば、ブルートゥース（登録商標）（Ｂｌｕｅｔｏｏｔｈ（登録商標））である。
【００１６】
携帯端末２は、携帯者が携帯する。携帯者は、例えば、画像形成装置４の使用者を含む画像形成装置４の周囲の人である。携帯端末２は、例えば、スマートフォンを含む携帯電話、タブレットパソコン、又はノートパソコンである。
【００１７】
携帯端末２は、通信ネットワークＮを介して画像形成装置４と通信可能である。携帯端末２は、記憶部２１と、通信部２２と、携帯側表示部と、携帯側操作部とを有する。通信部２２は、通信ネットワークＮを介して画像形成装置４の通信部４５と通信可能である。
【００１８】
携帯端末２には、静音モードが設定可能である。携帯側表示部は、携帯者に各種の画面を表示する。携帯側操作部は、携帯者の操作に応じた操作信号を生成する。記憶部２１は、携帯者によって設定された静音モードを記憶する。
【００１９】
携帯端末２に静音モードを設定する場合に、携帯者は、例えば、通信ネットワークＮを介して画像形成装置４の設定画面を取得する。携帯者は、携帯側表示部に表示される設定画面に応じて、携帯側操作部から静音モードを示す情報を入力する。記憶部２１は、携帯側操作部の操作信号に基づいて生成された設定情報を記憶する。設定情報は、携帯端末２に静音モードが設定されたか否かを示す情報を含む。
【００２０】
端末装置３は、画像形成装置４の使用者の操作に応じて、画像形成装置４にモード情報を出力する。端末装置３は、本発明の外部の一例である。端末装置３は、例えば、デスクトップパソコン、ノートパソコン、タブレットパソコン、ファクシミリ、又はカメラである。モード情報は、例えば、画像データとともに画像形成装置４に出力される。画像データは、原稿の画像を示す。
【００２１】
図２を参照して画像形成装置４について説明する。図２は、画像形成装置４の構成を示す。図２に示すように、画像形成装置４は、制御部４１と、通信部４５とに加えて、画像形成部４２と、操作パネル４３と、画像読取部４４と、記憶部４６とを更に備える。
【００２２】
制御部４１は、静音モード、通常モード、又は至急モードに画像形成装置４を変更可能である。静音モードでは、形成速度が通常モードの形成速度よりも遅いため、通常モードに比して画像形成装置４の作動音が抑制される。通常モードでは、形成速度が静音モードの形成速度よりも速いため、静音モードに比して用紙Ｓに画像を形成するために要する時間が短縮される。
【００２３】
至急モードでは、静音モード、又は通常モードで実行中の処理に割り込んで処理を実行するため、静音モード、及び通常モードに比して、使用者が望むようなタイミングで画像形成装置が処理を終えることができる。また、至急モードでは、通常モードの形成速度以上の形成速度で用紙Ｓに画像が形成される。実施形態１の画像形成装置４の至急モードでは、通常モードの形成速度よりも速い形成速度で用紙Ｓに画像が形成される。したがって、至急モードでは、用紙Ｓに画像を形成するために要する時間が短縮される。
【００２４】
用紙Ｓは、記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００２５】
画像形成部４２は、画像データに基づいて、用紙Ｓにトナー画像を形成する。画像形成部４２は、通常モード、静音モード、又は至急モードの形成速度で用紙Ｓにトナー画像を形成する。
【００２６】
画像読取部４４は、原稿を読み取って画像データを生成する。画像読取部４４は、画像データを制御部４１に出力する。画像読取部４４は、例えば、スキャナーである。
【００２７】
操作パネル４３は、表示部４３ａと、操作部４３ｂとを有する。操作部４３ｂは、ハードキーを含む。操作部４３ｂは、画像形成装置４の使用者の操作に応じた操作信号を出力する。使用者の操作は、例えば、画像形成装置４の各種設定を行う操作を含む。
【００２８】
表示部４３ａは、ディスプレーから構成される。ディスプレーは、タッチパネル機能を有する。表示部４３ａは、画像形成装置４の使用者に各種の画面を表示する。また、表示部４３ａは、入力キー等が描かれた操作画面を表示して、操作部４３ｂとしても機能する。
【００２９】
図３を参照して制御部４１について更に説明する。図３は、実施形態１の画像形成装置４の構成を示すブロック図である。記憶部４６は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）等の半導体メモリーを有する。ＲＯＭは、例えば、制御部４１によって実行される種々のコンピュータープログラムを記憶する。ＲＡＭは、例えば、画像データと、携帯端末２の設定情報とを記憶する。
【００３０】
制御部４１は、記憶部４６に予め記憶されたコンピュータープログラムを実行することにより、画像形成部４２、操作パネル４３、及び画像読取部４４を制御する。制御部４１は、例えば、ＣＰＵ（Ｃｅｎｔｒａｌ  Ｐｒｏｃｅｓｓｉｎｇ  Ｕｎｉｔ）から構成される。
【００３１】
制御部４１は、端末装置３から入力される画像データに基づいて、用紙Ｓにトナー画像を形成するように画像形成部４２を制御する。なお、画像データは、例えば、ＵＳＢ機能、及び無線機能を用いて、カメラから入力されてもよい。カメラを用いる場合に、モード情報は、例えば、操作パネル４３から入力される。
【００３２】
制御部４１は、モード情報と、携帯端末２の記憶部２１に記憶された設定情報とに基づいて、画像形成装置４のモードを設定する。
【００３３】
制御部４１は、携帯端末２との通信に基づいて、携帯端末２から設定情報を取得する。制御部４１は、携帯端末２の記憶部２１から設定情報を取得するように、通信部４５を制御する。この結果、制御部４１は、通信部４５を介して、携帯端末２の通信部２２から設定情報を取得する。
【００３４】
制御部４１は、取得した携帯端末２の設定情報を記憶部４６に記憶させる。制御部４１は、携帯端末２の設定情報を、例えば、携帯端末２の固体情報に関連付けて記憶部４６に記憶させる。制御部４１は、例えば、画像形成装置４に画像データが入力された際に、携帯端末２の設定情報を取得する。なお、制御部４１は、所定の時間毎に、携帯端末２から設定情報を取得してもよい。
【００３５】
制御部４１は、画像データと、モード情報とが画像形成装置４に入力された際に、モード情報が、通常モードを示すか、静音モードを示すか、又は至急モードを示すかを判定する。制御部４１は、モード情報が通常モードを示す場合に、記憶部４６に記憶される携帯端末２の設定情報を参照する。制御部４１は、設定情報が静音モードを示す情報を含むか否かを判定する。制御部４１は、設定情報が静音モードを示す情報を含まない場合に、画像形成装置４を通常モードに設定する。この結果、画像形成装置４は、通常モードの形成速度で用紙Ｓに画像を形成する。
【００３６】
制御部４１は、設定情報が静音モードを示す情報を含む場合に、画像形成装置４を静音モードに設定する。この結果、画像形成装置４は、静音モードの形成速度で用紙Ｓに画像を形成する。
【００３７】
画像形成システム１では、端末装置３を介して、画像形成装置４の使用者から画像形成装置４に通常モードを示すモード情報が入力された場合であっても、携帯端末２を携帯する携帯者の設定に対応するように、静音モードの形成速度で用紙Ｓに画像が形成される。この結果、画像形成システム１では、画像形成装置４の作動音が周囲の人に与える不快感を抑制できる。ここで、画像形成装置４の周囲の人は、例えば、画像形成装置４の近くに位置する人、及び音に敏感な人である。
【００３８】
制御部４１は、モード情報が静音モードを示す場合に、画像形成装置４を静音モードに設定する。この結果、画像形成装置４は、画像形成装置４の使用者の設定に対応するように、静音モードの形成速度で用紙Ｓに画像を形成する。この結果、画像形成装置４の使用者から入力されたモードに対応するように、画像形成装置４のモードが設定され、画像形成装置４の使用者に与える不快感を抑制できる。
【００３９】
制御部４１は、モード情報が至急モードを示す場合に、画像形成装置４を至急モードに設定する。この結果、画像形成装置４は、画像形成装置４の使用者の設定に対応するように、至急モードの形成速度で用紙Ｓに画像を形成する。
【００４０】
本発明の実施形態１に係る画像形成システム１では、端末装置３を介して、画像形成装置４の使用者から画像形成装置４に至急モードを示すモード情報が入力された場合に、携帯端末２が静音モードである場合でも、静音モード、又は通常モードで実行中の処理に割り込んで処理が実行される。したがって、静音モード、又は通常モードで実行中の処理の終了を待機することなく、使用者が望むようなタイミングで画像形成装置が処理を終えることができる。この結果、使用者の利便性を向上することができる。
【００４１】
なお、制御部４１は、画像形成装置４の使用者から入力されたモードに対応するように、画像形成装置４を至急モードに設定する際に、例えば、携帯端末２に、至急モードの形成速度で用紙Ｓに画像が形成される旨を通知してもよい。この結果、携帯者は、画像形成装置４が至急モードの形成速度で用紙Ｓに画像を形成することを予め確認することができる。
【００４２】
また、制御部４１は、使用者から入力されたモード情報が通常モードを示す場合に、画像形成装置４を静音モードに設定した際には、画像形成装置４を静音モードに設定した旨を使用者の端末装置３に通知してもよい。この結果、通常モードを示すモード情報を画像形成装置４に入力した使用者は、携帯者の設定に対応するように、画像形成装置４が静音モードの形成速度で用紙Ｓに画像を形成することを予め確認できる。
【００４３】
（実施形態２）
続いて、図３を参照して、本発明の実施形態２に係る画像形成システム１について説明する。本発明の実施形態１では、携帯端末２の設定情報に基づいて、画像形成装置４が静音モードに設定されたが、本発明の実施形態２では、携帯端末２の位置情報と、携帯端末２の設定情報とに基づいて、画像形成装置４のモードが設定される。
【００４４】
制御部４１は、携帯端末２との通信に基づいて、携帯端末２の位置情報を生成する。具体的には、制御部４１は、携帯端末２との光通信の通信時間に基づいて、画像形成装置４と携帯端末２との間の距離を計測する。制御部４１は、計測した距離に基づいて、携帯端末２の位置情報を生成する。
【００４５】
制御部４１は、生成した位置情報を記憶部４６に記憶させる。制御部４１は、例えば、携帯端末２の固体情報に関連付けて、携帯端末２の設定情報と携帯端末２の位置情報とを記憶部４６に記憶させる。制御部４１は、画像形成装置４に画像データが入力された際に、携帯端末２の位置情報を生成する。なお、制御部４１は、所定の時間毎に、携帯端末２の位置情報を生成してもよい。
【００４６】
制御部４１は、画像データと、モード情報とが画像形成装置４に入力された際に、モード情報が、通常モードを示すか、静音モードを示すか、又は至急モードを示すかを判定する。制御部４１は、モード情報が通常モードを示す場合に、画像形成装置４から所定範囲内の携帯端末２について、設定情報が静音モードを示す情報を含むか否かを判定する。具体的には、制御部４１は、記憶部４６に記憶される位置情報を参照して、画像形成装置４から所定範囲内に、携帯端末２が位置するか否かを判定する。制御部４１は、所定範囲内に携帯端末２が位置しない場合に、画像形成装置４を通常モードに設定する。この結果、画像形成装置４は、通常モードの形成速度で用紙Ｓに画像を形成する。
【００４７】
制御部４１は、所定範囲内に携帯端末２が位置する場合に、所定範囲内の携帯端末２について、記憶部４６に記憶される設定情報を参照する。制御部４１は、所定範囲内の携帯端末２の設定情報が静音モードを示す情報を含むか否かを判定する。制御部４１は、設定情報が静音モードを示す情報を含まない場合に、画像形成装置４を通常モードに設定する。この結果、画像形成装置４は、通常モードの形成速度で用紙Ｓに画像を形成する。
【００４８】
制御部４１は、設定情報が静音モードを示す情報を含む場合に、画像形成装置４を静音モードに設定する。この結果、画像形成装置４は、静音モードの形成速度で用紙Ｓに画像を形成する。
【００４９】
画像形成システム１では、端末装置３を介して、使用者から画像形成装置４に通常モードを示すモード情報が入力された場合であっても、画像形成装置４から所定範囲内に位置する携帯者の設定に対応するように、静音モードの形成速度で用紙Ｓに画像が形成される。この結果、画像形成システム１では、画像形成装置４の作動音が画像形成装置４の近くに位置する携帯者に与える不快感を抑制できる。
【００５０】
制御部４１は、モード情報が静音モードを示す場合に、画像形成装置４を静音モードに設定する。この結果、画像形成装置４は、画像形成装置４の使用者の設定に対応するように、静音モードの形成速度で用紙Ｓに画像を形成する。
【００５１】
制御部４１は、モード情報が至急モードを示す場合に、画像形成装置４を至急モードに設定する。この結果、画像形成装置４は、画像形成装置４の使用者の設定に対応するように、至急モードの形成速度で用紙Ｓに画像を形成する。
【００５２】
本発明の実施形態２に係る画像形成システム１では、本発明の実施形態１に係る画像形成システム１と同様に、端末装置３を介して、画像形成装置４の使用者から画像形成装置４に至急モードを示すモード情報が入力された場合に、携帯端末２が静音モードである場合でも、静音モード、又は通常モードで実行中の処理に割り込んで処理が実行される。したがって、静音モード、又は通常モードで実行中の処理の終了を待機することなく、使用者が望むようなタイミングで画像形成装置が処理を終えることができる。この結果、使用者の利便性を向上することができる。
【００５３】
図４を参照して、本発明の実施形態２の制御部４１の画像形成制御について説明する。図４は、本発明の実施形態２に係る制御部４１の画像形成制御を示すフローチャートである。図４に示すように、制御部４１は、ステップＳ１０において、端末装置３から画像データ、及びモード情報が入力された際に、ステップＳ２０において、モード情報が至急モードを示すか否かを判定する。
【００５４】
制御部４１は、モード情報が至急モードを示さない場合に（ステップＳ２０のＮｏ）、ステップＳ３０において、モード情報が通常モードを示すか否かを判定する。
【００５５】
制御部４１は、モード情報が通常モードを示さない場合に（ステップＳ３０のＮｏ）、ステップＳ４０において、画像形成装置４を静音モードに設定する。制御部４１は、画像形成装置４を静音モードに設定した後に、ステップＳ５０において、用紙Ｓに画像を形成するように画像形成部４２を制御して、画像形成制御を終了する。
【００５６】
制御部４１は、モード情報が通常モードを示す場合に（ステップＳ３０のＹｅｓ）、ステップＳ６０において、携帯端末２との通信に基づいて、携帯端末２の設定情報を取得するとともに、携帯端末２の位置情報を生成する。制御部４１は、携帯端末２の設定情報を取得し、携帯端末２の位置情報を生成すると、ステップＳ７０において、携帯端末２の位置情報に基づいて、画像形成装置４から所定範囲内に携帯端末２が位置するか否かを判定する。
【００５７】
制御部４１は、所定範囲内に携帯端末２が位置しない場合に（ステップＳ７０のＮｏ）、ステップＳ８０において、画像形成装置４を通常モードに設定する。制御部４１は、通常モードに設定した後に、ステップＳ５０において、用紙Ｓに画像を形成するように画像形成部４２を制御して、画像形成制御を終了する。
【００５８】
制御部４１は、所定範囲内に携帯端末２が位置する場合に（ステップＳ７０のＹｅｓ）、ステップＳ９０において、設定情報が静音モードを示す情報を含むか否かを判定する。
【００５９】
制御部４１は、設定情報が静音モードを示す情報を含む場合に（ステップＳ９０のＹｅｓ）、ステップＳ４０において、画像形成装置４を静音モードに設定する。制御部４１は、画像形成装置４を静音モードに設定した後に、ステップＳ５０において、用紙Ｓに画像を形成するように画像形成部４２を制御して、画像形成制御を終了する。
【００６０】
制御部４１は、設定情報が静音モードを示す情報を含まない場合に（ステップＳ９０のＮｏ）、ステップＳ８０において、画像形成装置４を通常モードに設定する。制御部４１は、通常モードに設定した後に、ステップＳ５０において、用紙Ｓに画像を形成するように画像形成部４２を制御して、画像形成制御を終了する。
【００６１】
制御部４１は、モード情報が至急モードを示す場合に（ステップＳ２０のＹｅｓ）、ステップＳ１００において、画像形成装置４を至急モードに設定する。制御部４１は、至急モードを設定した後に、ステップＳ５０において、用紙Ｓに画像を形成するように画像形成部４２を制御して、画像形成制御を終了する。
【００６２】
以上、図１から図４を参照して、本発明の実施形態１、及び実施形態２に係る画像形成システム１について説明した。但し、本発明は、実施形態１、及び実施形態２に限られるものではなく、その要旨を逸脱しない範囲で種々の態様において実施することが可能である。
【００６３】
例えば、本発明の実施形態２では、制御部４１は、画像形成装置４から所定範囲内の携帯端末２の設定情報を参照していたが、本発明はこれに限定されない。本発明の制御部４１は、特定の携帯者が携帯する携帯端末２から設定情報を取得すればよい。制御部４１は、例えば、複数の携帯端末２のうち、画像形成装置４に最も近い位置の携帯端末２から設定情報を取得してもよい。したがって、画像形成装置４に最も近い位置の携帯者の設定に対応するように、画像形成装置４のモードが設定される。この結果、画像形成装置４の作動音が画像形成装置４に最も近い位置の携帯者に与える不快感を抑制できる。
【００６４】
また、制御部４１は、例えば、予め設定された携帯端末２の設定情報を参照してもよい。この結果、例えば、画像形成装置４の作動音に敏感な特定の携帯者の設定に対応するように、画像形成装置４のモードが設定され、画像形成装置４の作動音が特定の携帯者に与える不快感を抑制できる。
【００６５】
また、例えば、本発明の実施形態２では、制御部４１は、携帯端末２との通信時間に基づいて、携帯端末２の位置情報を生成していたが、本発明はこれに限定されない。制御部４１は、携帯端末２の位置情報を生成すればよい。制御部４１は、例えば、ＧＰＳ機能を有する。制御部４１は、ＧＰＳ機能を用いて画像形成装置４の位置を生成可能である。また、携帯端末２は、例えば、ＧＰＳ機能を有する。携帯端末２は、ＧＰＳ機能を用いて携帯端末２の位置を生成可能である。制御部４１は、通信ネットワークＮを介して携帯端末２の位置を取得して、携帯端末２の位置と画像形成装置４の位置とに基づいて、携帯端末２の位置情報を生成してもよい。
【００６６】
また、例えば、本発明の実施形態１、及び実施形態２では、画像形成装置４は、端末装置３を介して入力される画像データ、及びモード情報を参照していたが、本発明は、これに限定されない。本発明の画像形成装置４は、入力されたモード情報を参照すればよい。画像形成装置４は、例えば、画像読取部４４を介して入力される画像データと、操作パネル４３を介して入力されるモード情報とを参照してもよい。
【００６７】
また、例えば、本発明の実施形態１、及び実施形態２では、制御部４１は、携帯端末２の記憶部２１に記憶される設定情報を取得していたが、本発明は、これに限定されない。本発明の制御部４１は、携帯端末２から静音モードを示す設定情報を取得すればよい。制御部４１は、例えば、携帯端末２がマナーモードに設定されている場合に、携帯端末２から静音モードを示す設定情報を取得してもよい。この結果、携帯端末２に静音モードを示す情報を入力する携帯者の作業が軽減され、画像形成システム１の利便性を向上できる。なお、携帯端末２は、マナーモードを設定可能であり、携帯端末２は、マナーモードにおいて、報告音が制限される。
【００６８】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００６９】
本発明は、画像形成システムに関するものであり、複数の使用者に使用される画像形成装置を備える画像形成システムに有用である。
【符号の説明】
【００７０】
１        画像形成システム
２        携帯端末
３        端末装置
４        画像形成装置
Ｎ        通信ネットワーク
Ｓ        用紙
【図１】
2018169668.tif 000003
【図２】
2018169668.tif 000004
【図３】
2018169668.tif 000005
【図４】
2018169668.tif 000006